(57)【特許請求の範囲】
【請求項１】
搬送方向に順次搬送される記録媒体に向かってインクを吐出する記録ヘッドと、
前記記録ヘッドよりも前記搬送方向における上流側の所定位置での記録媒体の通過タイミングを出力する通過タイミング出力手段と、
前記通過タイミング出力手段によって通過タイミングの出力された複数の記録媒体における記録対象領域の前記搬送方向の下流側縁部と、前記記録ヘッドのインク着弾位置との距離を、通過タイミングが出力された時点から各記録媒体と前記記録ヘッドとの組み合わせ毎に独立に並行してそれぞれカウントダウンするとともに記録媒体における記録対象領域が前記記録ヘッドのインク着弾位置を通過し終えたときに、当該記録媒体と当該記録ヘッドとの組み合わせについてのカウントダウンを終了する複数のディレイカウンタを有するカウント手段と、
前記カウント手段によるカウント値に基づいて、各記録媒体における記録対象領域が前記記録ヘッドのインク着弾位置に達したときに、前記記録ヘッドをインク吐出可能とする制御手段とを備えることを特徴とするプリントユニット。
【請求項２】
請求項１記載のプリントユニットにおいて、
前記通過タイミング出力手段は、搬送される記録媒体を前記所定位置で検出して、通過タイミングを出力することを特徴とするプリントユニット。
【請求項３】
請求項１または２記載のプリントユニットにおいて、
前記カウント手段は、前記所定位置と前記記録ヘッドのインク着弾位置との間に少なくとも一部分が存在し得る記録媒体の数以上の数の前記ディレイカウンタを有することを特徴とするプリントユニット。
【請求項４】
請求項１〜３の何れか一項に記載のプリントユニットにおいて、
前記通過タイミング出力手段は、搬送される記録媒体を記録媒体検出部により前記所定位置で検出して、通過タイミングを出力するものであり、
前記所定位置と前記記録ヘッドのインク着弾位置との間隔は、順次搬送される前記複数の記録媒体の２枚分の前記搬送方向の長さよりも広く、
少なくとも記録媒体の２ページ分以上の画像データを記憶するページメモリを備え、
前記制御手段は、
記録媒体における記録対象領域が前記記録ヘッドのインク着弾位置に達したときに、前記ページメモリにおける記録媒体の各ページの画像データのうち、該当ページ部分の画像データに基づいて、前記記録ヘッドにインクを吐出させることを特徴とするプリントユニット。
【請求項５】
請求項１〜４の何れか一項に記載のプリントユニットにおいて、
前記カウント手段は、
記録媒体の所定の搬送量毎にパルス信号を出力するエンコーダを有することを特徴とするプリントユニット。
【請求項６】
請求項１〜５の何れか一項に記載のプリントユニットと、
記録媒体を前記搬送方向に搬送する搬送装置とを備えることを特徴とするインクジェット記録装置。
【発明の詳細な説明】
【技術分野】
【０００１】
本発明は、プリントユニット及びインクジェット記録装置に関する。
【背景技術】
【０００２】
従来、紙や布などの記録媒体に画像を記録するインクジェット記録装置は、搬送装置によって記録媒体を順次搬送しつつ、プリントユニットの記録ヘッドから記録媒体に向かってインクを吐出することにより、各記録媒体の表面に画像を記録するようになっている。
【０００３】
近年、このようなインクジェット記録装置において各記録媒体の搬送位置に合わせてインクの吐出タイミングを制御する技術として、以下のような２種類の技術が開発されている。
【０００４】
具体的には、図４に示すように、１種類目の技術に係るインクジェット記録装置１００には、記録ヘッド１０１よりも搬送方向Ｘの上流側で搬送される記録媒体Ｋの縁部（トリガ）Ｋ１を検出してトリガ（プリント開始）信号を出力するトリガ検出部（図示せず）と、縁部Ｋ１の検出された記録媒体Ｋから記録ヘッド１０１のインク着弾位置までの距離をカウントダウンするディレイカウンタ（図示せず）とが配設されている。このようなインクジェット記録装置１００によれば、トリガ信号の出力タイミングと、記録媒体Ｋから記録ヘッド１０１までの距離とに基づいてインクの吐出タイミングを制御することにより、各記録媒体Ｋが記録ヘッド１０１のインク着弾位置に搬送されたときに、記録ヘッド１０１からインクを吐出することができる（例えば、特許文献１参照）。
【０００５】
また、図５に示すように、２種類目の技術に係るインクジェット記録装置２００には、各記録媒体のページ間に白色データ（吐出しない旨のデータ）を所定幅分だけ挿入して画像データを生成するパソコン（図示せず）が接続されている。このインクジェット記録装置２００によれば、当該所定幅に記録媒体のページ間隔Ｐ１１を合わせて搬送することにより、各記録媒体Ｋが記録ヘッド２０１のインク着弾位置に搬送されたときに、記録ヘッド２０１からインクを吐出することができる。
【特許文献１】特開平７−４７６７０号公報
【発明の開示】
【発明が解決しようとする課題】
【０００６】
しかしながら、上記１つ目の種類の技術に係るインクジェット記録装置１００では、トリガ検出部で記録媒体Ｋの縁部Ｋ１が検出されると、この記録媒体Ｋから記録ヘッド１０１のインク着弾位置までの距離をディレイカウンタがカウントダウンするため、距離をカウントダウン中の記録媒体Ｋ（以下、前ページの記録媒体Ｋとする）が未だ記録ヘッド１０１のインク着弾位置を通過しない状態で新たな記録媒体Ｋ（以下、次ページの記録媒体Ｋとする）の縁部Ｋ１をトリガ検出部が検出すると、ディレイカウンタが次ページの記録媒体Ｋについて距離のカウントダウンを行なってしまう結果、前ページの記録媒体Ｋについてのインク吐出タイミングが制御できなくなってしまう。つまり、このインクジェット記録装置１００では、搬送する記録媒体Ｋのページ間隔Ｐ１０を、記録媒体Ｋの１枚分よりも狭めると、各記録媒体に画像を正確に記録することができない。また、トリガ検出部を記録ヘッド１０１から遠ざけて配設すると、その分、次ページの記録媒体Ｋの縁部Ｋ１の検出タイミングを遅らせるべく記録媒体Ｋのページ間隔を広くする必要が生じてしまうため、トリガ検出部の配設位置を記録ヘッド１０１に近づけるよう制約がある。
【０００７】
また、上記２つ目の種類の技術に係るインクジェット記録装置２００では、白色データを挿入して画像データを生成するため、特に１ページ毎に異なる画像を記録する場合には、パソコンの負荷が大きくなってしまう。また、各ページの記録媒体Ｋの実際の搬送位置に合わせてインクの吐出タイミングを制御している訳ではないので、記録媒体Ｋのページ間隔がずれてしまうと、画像の記録位置がずれることとなる。
【０００８】
本発明の課題は、記録媒体のページ間隔を１ページ分よりも狭くしても、各記録媒体に画像を正確に記録することのできるプリントユニット及びインクジェット記録装置を提供することである。
【課題を解決するための手段】
【０００９】
請求項１記載の発明は、プリントユニットにおいて、
搬送方向に順次搬送される記録媒体に向かってインクを吐出する記録ヘッドと、
前記記録ヘッドよりも前記搬送方向における上流側の所定位置での記録媒体の通過タイミングを出力する通過タイミング出力手段と、
前記通過タイミング出力手段によって通過タイミングの出力された複数の記録媒体における記録対象領域の前記搬送方向の下流側縁部と、前記記録ヘッドのインク着弾位置との距離を、通過タイミングが出力された時点から各記録媒体と前記記録ヘッドとの組み合わせ毎に独立に並行してそれぞれカウントダウンするとともに記録媒体における記録対象領域が前記記録ヘッドのインク着弾位置を通過し終えたときに、当該記録媒体と当該記録ヘッドとの組み合わせについてのカウントダウンを終了する複数のディレイカウンタを有するカウント手段と、
前記カウント手段によるカウント値に基づいて、各記録媒体における記録対象領域が前記記録ヘッドのインク着弾位置に達したときに、前記記録ヘッドをインク吐出可能とする制御手段とを備えることを特徴とする。
【００１０】
請求項２記載の発明は、請求項１記載のプリントユニットにおいて、
前記通過タイミング出力手段は、搬送される記録媒体を前記所定位置で検出して、通過タイミングを出力することを特徴とする。
【００１１】
請求項３記載の発明は、請求項１または２記載のプリントユニットにおいて、
前記カウント手段は、前記所定位置と前記記録ヘッドのインク着弾位置との間に少なくとも一部分が存在し得る記録媒体の数以上の数の前記ディレイカウンタを有することを特徴とする。
【００１２】
請求項４記載の発明は、請求項１〜３の何れか一項に記載のプリントユニットにおいて、
前記通過タイミング出力手段は、搬送される記録媒体を記録媒体検出部により前記所定位置で検出して、通過タイミングを出力するものであり、
前記所定位置と前記記録ヘッドのインク着弾位置との間隔は、順次搬送される前記複数の記録媒体の２枚分の前記搬送方向の長さよりも広く、
少なくとも記録媒体の２ページ分以上の画像データを記憶するページメモリを備え、
前記制御手段は、
記録媒体における記録対象領域が前記記録ヘッドのインク着弾位置に達したときに、前記ページメモリにおける記録媒体の各ページの画像データのうち、該当ページ部分の画像データに基づいて、前記記録ヘッドにインクを吐出させることを特徴とする。
【００１４】
請求項５記載の発明は、請求項１〜４の何れか一項に記載のプリントユニットにおいて、
前記カウント手段は、
記録媒体の所定の搬送量毎にパルス信号を出力するエンコーダを有することを特徴とする。
【００１５】
請求項６記載の発明は、インクジェット記録装置において、
請求項１〜５の何れか一項に記載のプリントユニットと、
記録媒体を前記搬送方向に搬送する搬送装置とを備えることを特徴とする。
【発明の効果】
【００１６】
請求項１記載の発明によれば、順次搬送される記録媒体について、記録ヘッドよりも搬送方向の上流側での通過タイミングが出力され、通過タイミングの出力された複数の記録媒体における記録対象領域と記録ヘッドのインク着弾位置との距離が並行してそれぞれカウントダウンされ、このカウント値に基づいて、記録媒体における記録対象領域が記録ヘッドのインク着弾位置に達したときに記録ヘッドがインク吐出可能とされるので、記録ヘッドのインク着弾位置までの距離をカウントダウン中の記録媒体が未だ記録ヘッドのインク着弾位置を通過しない状態で、新たに搬送される記録媒体の通過タイミングが出力されても、前ページの記録媒体と、次ページの記録媒体とについて、それぞれインク着弾位置までの距離をカウントダウンすることができる。従って、記録媒体のページ間隔を１ページ分よりも狭くしても、各記録媒体に画像を正確に記録することができる。
【００１７】
請求項２記載の発明によれば、請求項１記載の発明と同様の効果を得ることができる。
【００１８】
請求項４記載の発明によれば、ページメモリには少なくとも記録媒体の２ページ分以上の画像データが記憶され、記録媒体における記録対象領域が記録ヘッドのインク着弾位置に達したときに、ページメモリにおける記録媒体の各ページの画像データのうち、該当ページ部分の画像データに基づいて記録ヘッドがインクを吐出するので、各ページの記録媒体に対して異なる画像を出力する場合であっても、記録媒体のページ間隔を１ページ分よりも狭くすることができる。
【００１９】
請求項５，６記載の発明によれば、請求項１〜４の何れか一項に記載の発明と同様の効果を得ることができる。
【発明を実施するための最良の形態】
【００２０】
以下、本発明に係るインクジェット記録装置について説明する。
図１は本実施の形態におけるインクジェット記録装置１の概略構成を示す側面図である。なお、本実施の形態においては、インクジェット記録装置１をワンパス型のインクジェット記録装置、つまり記録媒体Ｋを１回搬送する間に画像の記録を完了するインクジェット記録装置として説明する。
【００２１】
このインクジェット記録装置１は、図示しないパソコンから送信される画像データに基づいて記録媒体Ｋの記録対象領域Ｒ（図３参照）に画像を記録するものであり、図１に示すように、互いに対向して配設された搬送装置２及びプリントユニット３を備えている。
【００２２】
このうち、搬送装置２は、搬送ローラ２０，…の回転によって複数の記録媒体Ｋを搬送方向Ｘに順次搬送するものである。なお、本実施の形態においては、記録媒体Ｋは、後述の図３に示すように、長尺な台紙Ｄの表面に対して所定のページ間隔Ｐごとに貼り付けられており、当該台紙Ｄに追従して搬送されるようになっている。
【００２３】
また、プリントユニット３は、台紙Ｄの幅方向Ｙ、つまり搬送方向Ｘの直交方向に延在する複数の記録ヘッド３０，…を有している。
【００２４】
記録ヘッド３０，…は、搬送装置２によって順次搬送される記録媒体Ｋに向かってインクを吐出する複数のノズル３００を備えている。これらのノズル３００，…は、画像データを元にノズル３００毎に生成される吐出可否データと、駆動波形とに基づいてインク滴を吐出するようになっている。より詳細には、記録ヘッド３０には、ノズル３００内のインクを吐出するためのピエゾ素子（図示せず）が設けられており、このピエゾ素子が駆動波形及び吐出可否データに基づいて振動することで、ノズル３００内のインクを振動させたり、吐出させたりするようになっている。なお、本実施の形態においては、複数の記録ヘッド３０，…が幅方向Ｙに直線的に配設されることとして説明するが、例えば千鳥状など、他の形態に配設されることとしても良い。また、記録ヘッド３０の延在方向は、搬送方向Ｘと交差する限りにおいて、搬送方向Ｘの直交方向でなくても良い。
【００２５】
次に、プリントユニット３の機能構成について説明する。
図２は、プリントユニット３の概略構成を示すブロック図である。
【００２６】
この図に示すように、プリントユニット３は、上述の記録ヘッド３０の他に、記録媒体検出部３１、カウント部３２、ページメモリ３３及び制御部４を有している。
【００２７】
このうち、記録媒体検出部３１は、記録ヘッド３０よりも搬送方向Ｘにおける上流側の所定位置での記録媒体Ｋの通過タイミングを出力するものであり、本実施の形態においては、記録ヘッド３０，…よりも搬送方向Ｘにおける上流側で台紙Ｄ（記録媒体Ｋ）に対向して配設され、搬送される記録媒体Ｋを検出して検出信号を出力するようになっている。より詳細には、本実施の形態における記録媒体検出部３１は、搬送方向Ｘにおける記録媒体Ｋの先端側の縁部（トリガ）Ｋ１を検出するようになっている。また、記録媒体検出部３１と記録ヘッド３０との間隔は、後述の図３に示すように、ページ間隔Ｐで配列された記録媒体Ｋの２枚分よりも広くなっている。なお、このように記録媒体Ｋを検出する記録媒体検出部３１としては、台紙Ｄと記録媒体Ｋとの反射率の違いに基づいて記録媒体Ｋの縁部Ｋ１を検出するものや、記録媒体Ｋの縁部Ｋ１に予め設けられた所定のマークを検出するものを用いることができる。
【００２８】
カウント部３２は、エンコーダ３２０と、３つのディレイカウンタ３２１，…とを有している。
【００２９】
エンコーダ３２０は、記録媒体Ｋの所定の搬送量毎にパルス信号を出力するものである。なお、本実施の形態におけるエンコーダ３２０は、台紙Ｄ（記録媒体Ｋ）の搬送量に応じて回転し、所定の回転量毎にパルス信号を出力するロータリーエンコーダとなっており、上述の図１に示すように、搬送される台紙Ｄ（記録媒体Ｋ）に追従して回転するローラ３２０ａに設けられている。
【００３０】
３つのディレイカウンタ３２１，…は、エンコーダ３２０からのパルス信号と、画像データ中で設定される記録媒体Ｋ内での記録対象領域Ｒの位置とに基づいて、記録媒体検出部３１によって検出された複数の記録媒体Ｋ，…の記録対象領域Ｒにおける先端側の縁部Ｒ１と、記録ヘッド３０のインク着弾位置Ｔとの距離Ｍを、並行してそれぞれカウントダウンするようになっている。また、各ディレイカウンタ３２１は、記録媒体Ｋの記録対象領域Ｒがインク着弾位置Ｔを通過し終えたときに、当該記録媒体Ｋについてのカウントダウンを終了するようになっている。ここで、インク着弾位置Ｔとは、記録ヘッド３０から吐出されるインクが設計上、着弾する位置であり、実際に吐出されるインクが飛散する場合には、飛散したインクの着弾位置ではない。なお、このようなディレイカウンタ３２１としては、電気回路などのハードウェアによって実現されるものを用いても良いし、ソフトウェアによって実現されるものを用いても良い。
【００３１】
ページメモリ３３は、記録媒体Ｋに出力されるべき画像データをページ毎に記憶するものである。なお、各ページの記録媒体Ｋに同一の画像が記録される場合には、ページメモリ３３には、１ページ分の画像データが記憶される。
【００３２】
制御部４は、ＣＰＵやＲＯＭ、ＲＡＭ、従来より公知のハードウェア回路等で構成されており、プリントユニット３の各部を駆動制御するようになっている。具体的には、制御部４は、画像データに基づいてノズル３００毎の吐出可否データを生成するとともに、各記録ヘッド３０に対して当該吐出可否データと上述の駆動波形とを出力することにより、記録ヘッド３０に画像記録を行なわせるようになっている。また、本実施の形態における制御部４は、カウント部３２によるカウント値に基づいて、各記録媒体Ｋの記録対象領域Ｒが記録ヘッド３０のインク着弾位置Ｔに達したときに当該記録ヘッド３０をインク吐出可能とし、インク着弾位置Ｔを通過し終えたときに当該記録ヘッド３０をインク吐出禁止とするようになっている。
【００３３】
続いて、以上のインクジェット記録装置１の動作について、図３を参照しながら説明する。なお、この図３においては、簡略化のため、プリントユニット３における１つの記録ヘッド３０のみを図示している。
【００３４】
まず、パソコンからインクジェット記録装置１に対して画像データが送信されると、当該画像データが記録媒体Ｋのページ毎にページメモリ３３に記憶される。
【００３５】
次に、インクジェット記録装置１の搬送装置２が台紙Ｄ及び記録媒体Ｋの搬送を開始すると、エンコーダ３２０が台紙Ｄ（記録媒体Ｋ）に追従して回転し、その回転量をパルス信号として出力する。また、記録媒体検出部３１が搬送方向Ｘにおける記録媒体Ｋ（以下、便宜的に記録媒体Ｋａとする）の先端側の縁部Ｋ１を検出する。
【００３６】
次に、３つのディレイカウンタ３２１，…のうちの何れか１つ（以下、便宜的にディレイカウンタ３２１ａとする）が、エンコーダ３２０からのパルス信号と、画像データ中で設定された記録媒体Ｋａ内での記録対象領域Ｒの位置とに基づいて、記録媒体Ｋａにおける記録対象領域Ｒの縁部Ｒ１と記録ヘッド３０のインク着弾位置Ｔとの距離Ｍ（以下、便宜的に距離Ｍａとする）のカウントダウンを開始する。
【００３７】
ここで、記録媒体Ｋａの記録対象領域Ｒがインク着弾位置Ｔに達していない状態、つまりディレイカウンタ３２１ａが記録媒体Ｋａについてインク着弾位置Ｔまでの距離Ｍａをカウントダウンしている状態で、記録媒体検出部３１が新たな記録媒体Ｋ（以下、便宜的に記録媒体Ｋｂとする）の先端側の縁部Ｋ１を検出すると、３つのディレイカウンタ３２１，…のうち、ディレイカウンタ３２１ａ以外の何れか１つ（以下、便宜的にディレイカウンタ３２１ｂとする）が、エンコーダ３２０からのパルス信号と、画像データ中で設定された記録媒体Ｋｂ内での記録対象領域Ｒの位置とに基づいて、記録媒体Ｋｂにおける記録対象領域Ｒの縁部Ｒ１と記録ヘッド３０のインク着弾位置Ｔとの距離Ｍ（以下、便宜的に距離Ｍｂとする）のカウントダウンを開始する。
【００３８】
また、記録媒体Ｋａ，Ｋｂの記録対象領域Ｒがインク着弾位置Ｔに達していない状態、つまりディレイカウンタ３２１ａ，３２１ｂが記録媒体Ｋａ，Ｋｂについてインク着弾位置Ｔまでの距離Ｍａ，Ｍｂをカウントダウンしている状態で、記録媒体検出部３１が新たな記録媒体Ｋ（以下、便宜的に記録媒体Ｋｃとする）の先端側の縁部Ｋ１を検出すると、３つのディレイカウンタ３２１，…のうち、ディレイカウンタ３２１ａ，３２１ｂ以外の何れか１つ（以下、便宜的にディレイカウンタ３２１ｃとする）が、エンコーダ３２０からのパルス信号と、画像データ中で設定された記録媒体Ｋｃ内での記録対象領域Ｒの位置とに基づいて、記録媒体Ｋｃにおける記録対象領域Ｒの縁部Ｒ１と記録ヘッド３０のインク着弾位置Ｔとの距離Ｍ（以下、便宜的に距離Ｍｃとする）のカウントダウンを開始する。
【００３９】
そして、前ページの記録媒体Ｋａにおける記録対象領域Ｒがインク着弾位置Ｔに達すると、制御部４は記録ヘッド３０をインク吐出可能にするとともに、ページメモリ３３から該当ページ部分の画像データを読み出してノズル３００毎の吐出可否データを生成し、当該吐出可否データと駆動波形とに基づいてインクを吐出させる。また、当該記録媒体Ｋａがインク着弾位置Ｔを通過し終えると、制御部４は記録ヘッド３０をインク吐出禁止とする。また、ディレイカウンタ３２１ａが記録媒体Ｋａについてのカウントダウンを終了し、記録媒体検出部３１によって次に検出されるべき記録媒体Ｋについて、カウントダウンの待機状態となる。
【００４０】
以降、上述の動作を繰り返すことにより、各記録媒体Ｋにそれぞれ画像が記録される（図中、右端の記録媒体Ｋを参照）。
【００４１】
以上のインクジェット記録装置１によれば、順次搬送される記録媒体Ｋ，…について、記録ヘッド３０よりも搬送方向Ｘの上流側での通過タイミングが出力され、通過タイミングの出力された複数の記録媒体Ｋ，…における記録対象領域Ｒと記録ヘッド３０のインク着弾位置Ｔとの距離Ｍが並行してそれぞれカウントダウンされ、このカウント値に基づいて、記録媒体Ｋにおける記録対象領域Ｒが記録ヘッド３０のインク着弾位置Ｔに達したときに記録ヘッド３０がインク吐出可能とされるので、記録ヘッド３０のインク着弾位置Ｔまでの距離Ｍをカウントダウン中の記録媒体Ｋａが未だ記録ヘッド３０のインク着弾位置Ｔを通過しない状態で、新たに搬送される記録媒体Ｋｂ，Ｋｃがの通過タイミングが出力されても、前ページの記録媒体Ｋａと、次ページの記録媒体Ｋｂと、更に次ページの記録媒体Ｋｃとについて、それぞれインク着弾位置Ｔまでの距離Ｍａ〜Ｍｃをカウントダウンすることができる。従って、記録媒体Ｋ，…のページ間隔Ｐを記録媒体Ｋの１ページ分よりも狭くしても、各記録媒体Ｋに画像を正確に記録することができ、その結果、画像の記録効率を向上させることができる。
【００４２】
また、記録媒体検出部３１を記録ヘッド３０から遠ざけて配設しても、当該記録媒体検出部３１で検出されてからインク着弾位置Ｔに達していない各記録媒体Ｋ，…について、当該記録ヘッド３０までの距離Ｍをそれぞれカウントダウンすることができるため、従来と異なり、記録媒体検出部３１を任意の位置に配設することができる。よって、プリントユニット３やインクジェット記録装置１の設計の自由度を高めることができる。
【００４３】
また、白色データを挿入して画像データを生成することなく、記録媒体Ｋ，…のページ間隔Ｐを１ページ分よりも狭くすることができるため、画像データを生成するためのパソコンの負荷を低減することができる。
【００４４】
また、各ページの記録媒体Ｋ，…の実際の搬送位置に合わせて吐出タイミングを制御することができるため、記録媒体Ｋ，…のページ間隔Ｐによらず、画像を正確な位置に記録することができる。
【００４５】
また、ページメモリ３３には少なくとも記録媒体の２ページ分以上の画像データが記憶され、制御部４は記録媒体Ｋが記録ヘッド３０のインク着弾位置Ｔに達したときに、ページメモリ３３における記録媒体Ｋの各ページの画像データのうち、該当ページ部分の画像データに基づいて、記録ヘッド３０にインクを吐出させるので、各ページの記録媒体Ｋに対して異なる画像を出力する場合であっても、記録媒体Ｋのページ間隔を１ページ分よりも狭くすることができる。
【００４６】
なお、本発明を適用可能な実施形態は、上述した実施形態に限定されることなく、本発明の趣旨を逸脱しない範囲で適宜変更可能である。
【００４７】
例えば、上記実施の形態においては、プリントユニット３がディレイカウンタ３２１を３つ備えることとして説明したが、２つ備えることとしても良いし、４つ以上備えることとしても良い。但し、ディレイカウンタ３２１の個数は、搬送されて記録媒体検出部３１と記録ヘッド３０との間隔に少なくとも１部分の存在し得る記録媒体Ｋの数よりも多いことが好ましい。
【００４８】
また、記録媒体検出部３１で検出された記録媒体Ｋから記録ヘッド３０までの距離Ｍをエンコーダ３２０の回転量に基づいてカウントダウンすることとして説明したが、搬送装置２による搬送速度を一定化しておき、記録媒体検出部３１によって記録媒体Ｋが検出された後の経過時間に基づいてカウントダウンすることとしても良い。
【００４９】
また、記録媒体検出部３１が記録媒体Ｋを検出することによって、記録ヘッド３０よりも上流側での記録媒体Ｋの通過タイミングを出力することとして説明したが、搬送方向Ｘにおける記録媒体Ｋの長さと、記録媒体Ｋのページ間隔との合計分だけ台紙Ｄを搬送するごとに記録媒体Ｋの通過タイミングを自動的に出力することとしても良い。
【００５０】
また、記録媒体Ｋを台紙Ｄの表面に対して貼り付けられたものとして説明したが、表面の均質な台紙Ｄ内に対し、パソコンからのコマンド信号等によって所定間隔おきに設定されるものとしてもよい。この場合には、記録媒体検出部３１は、台紙Ｄ上に予め設けられた所定のマークを検出することによって記録媒体Ｋの設定領域を検出することとしても良いし、搬送方向Ｘにおける設定上の記録媒体Ｋの長さと、記録媒体Ｋのページ間隔との合計分だけ台紙Ｄを搬送するごとに記録媒体Ｋの設定領域の通過タイミングを自動的に出力することとしても良い。
【図面の簡単な説明】
【００５１】
【図１】本発明に係るインクジェット記録装置の概略構成を示す側面図である。
【図２】本発明に係るプリントユニットの概略構成を示すブロック図である。
【図３】記録媒体の間隔を説明するための図である。
【図４】従来のインクジェット記録装置を説明するための図である。
【図５】従来のインクジェット記録装置を説明するための図である。
【符号の説明】
【００５２】
１      インクジェット記録装置
２      搬送装置
３      プリントユニット
４      制御部（制御手段）
３０    記録ヘッド
３１    記録媒体検出部（通過タイミング出力手段）
３２    カウント部（カウント手段）
３３    ページメモリ
３２０  ロータリーエンコーダ
３２１  ディレイカウンタ
Ｋ      記録媒体
Ｒ      記録対象領域
Ｔ      インク着弾位置
Ｘ      搬送方向
【図１】
0005205886.tif 000002
【図２】
0005205886.tif 000003
【図３】
0005205886.tif 000004
【図４】
0005205886.tif 000005
【図５】
0005205886.tif 000006